(57)【要約】【課題】  簡便な構造で、転倒した物品のみならず、破損した物品をも搬送経路から排斥する搬送装置を提供する。【解決手段】  本発明の搬送装置は、搬送経路を通って物品が移動するように物品を搬送するコンベアと可動部材とを備える。可動部材は、搬送経路においてコンベアによって搬送されてくる物品から所定値以上の力を受けたときは物品が搬送経路を通って移動することを許容し、物品から所定値以上の力を受けないときは物品が搬送経路から排斥するように移動する。搬送装置は、搬送経路の側方に沿ってガイドをさらに備えることができる。ガイドは可動部材が配置される部分において途切れており、ガイドが途切れている部分の側方下部に、可動部材によって排斥された物品を回収する回収部を備えることが好ましい。【選択図】図１
2008173613.tif 000002
【特許請求の範囲】
【請求項１】
搬送経路を通って物品が移動するように該物品を搬送するコンベアと、
前記搬送経路において前記コンベアによって搬送されてくる物品から所定値以上の力を受けたときは該物品が前記搬送経路を通って移動することを許容し、当該物品から前記所定値以上の力を受けないときは該物品が前記搬送経路から排斥するように移動する可動部材と、
を備えることを特徴とする搬送装置。
【請求項２】
前記可動部材は、前記コンベア上においてほぼ水平な面内で回動可能な部材であることを特徴とする請求項１に記載の搬送装置。
【請求項３】
前記搬送経路はコーナー部を有し、前記可動部材は前記コーナー部に設けられることを特徴とする請求項１又は請求項２に記載の搬送装置。
【請求項４】
前記搬送経路の側方に沿って配置されるガイドをさらに備え、前記ガイドは前記可動部材が配置される部分において途切れていることを特徴とする請求項１乃至請求項３のいずれか１項に記載の搬送装置。
【請求項５】
前記ガイドが途切れている部分の側方下部には、前記可動部材によって排斥された前記物品を回収する回収部が配置されていることを特徴とする請求項４に記載の搬送装置。
【請求項６】
前記物品は、飲料が充填された容器であることを特徴とする請求項１乃至請求項５のいずれか１項に記載の搬送装置。
【請求項７】
前記搬送経路の前記可動部材より上流側に、前記容器を熱収縮性ラベルで包装するシュリンクトンネルが配置されていることを特徴とする請求項６に記載の搬送装置。
【発明の詳細な説明】
【技術分野】
【０００１】
本発明は、例えば飲料が充填された容器等の物品を搬送する搬送装置に関する。
【背景技術】
【０００２】
従来から、ビールが充填された瓶容器、清涼飲料水等が充填されたＰＥＴボトル等の飲料容器の外周に筒状の熱収縮性ラベル（シュリンクラベル）を装着し、包装することが広く行われている。熱収縮性ラベルによる包装は、熱収縮性ラベルを加熱可能な例えば水蒸気噴出ノズルを備えたシュリンクトンネル内で行われる。シュリンクトンネル内は８０℃前後と高温に維持されており、例えば使用するビール瓶が劣化したり、傷があったりすると、ビール瓶がシュリンクトンネル内で暴発し、破瓶となる場合がある。シュリンク包装を終了したビール瓶は、ベルトコンベアによって例えばアキュームテーブル部等へと搬送される。
【０００３】
ベルトコンベア２が図４のようにカーブしている場合、ベルトコンベア２のカーブ部分の外周部にはビール瓶１の転倒を防止するためにガイド７を設けている。しかし、ビール瓶１がシュリンクトンネル６内で暴発して破瓶となったり、カーブ部分にさしかかる前に転倒して倒立瓶となったりした場合、ベルトコンベア２のカーブ部分で詰まりが生じてしまう。また、ベルトコンベア２のカーブ部分で詰まりが生じなくても、搬送先のアキュームテーブル部等で詰まりが発生し、大量に不合格品を発生する事態を引き起こすおそれがある。
【０００４】
特許文献１には、搬送経路上において容器が倒れたときに転倒した容器を搬送経路外に排出案内する容器排出装置が開示されている。図５、図６に特許文献１に開示の容器排出装置１３を示す。容器排出装置１３は、ベルトコンベア１１上に下流側に向けて張り出して設けられた第１ゲート部材１３ｂ及び第２ゲート部材１３ｃを有する。第１、２ゲート部材は１３ｂ，１３ｃは基台１３ａに立設した支軸１３ｄに水平な面内で揺動可能に軸支され、バネ１３ｅによって通常は搬送路を遮る状態に維持されている。第１ゲート部材１３ｂは、第２ゲート部材１３ｃより水平位置で搬送方向上流側に位置するように設定されている。第１，２ゲート部材１３ｂ，１３ｃの背面には、側面ほぼＶ字状の揺動阻止体１３ｆが上下回動可能に取り付けられている。高寸の正立容器が搬送されてくると、容器は第１ゲート部材１３ｂに衝合するので、第１ゲート部材１３ｂは揺動阻止体１３ｆを回動させて、第１ゲート部材１３ｂ、第２ゲート部材１３ｃ及び揺動阻止体１３ｆを図６の点線で示す容器を通過させる退避状態にする。一方、低寸の倒立容器が搬送されてくると、倒立容器は第２ゲート部材１３ｃに衝合するが、図６の実線で示すように、揺動阻止体１３ｆを回動させず、第２ゲート部材１３ｃは容器の通過を阻止する阻止位置を保持する。このとき、低寸の倒立容器は、第２ゲート部材１３ｃに沿ってベルトコンベア側方に案内されガイドレール１１の下位に設けた開口１２ａから外部へ排出される。
【特許文献１】実開昭５９−６４８１８号公報
【発明の開示】
【発明が解決しようとする課題】
【０００５】
特許文献１記載の容器排出装置は、転倒容器を排出するものの、第１ゲート部材１３ｂ及び第２ゲート部材１３ｃの水辺面内での揺動機構と揺動阻止体１３ｆの回動機構とによって転倒容器を識別し、正立容器を通過させるものであるため、その構造が複雑である。また、当該容器排出装置は、シュリンクトンネル内の暴発によって先端部のみが破損した容器が搬送されてきた場合、当該容器が高寸であれば、破損容器であるにもかかわらず通過させてしまうという問題を抱えている。
【０００６】
本発明は、簡便な構造で、転倒した物品のみならず、破損した物品をも搬送経路から排斥する搬送装置を提供することを目的とする。
【課題を解決するための手段】
【０００７】
本発明の搬送装置は、搬送経路を通って物品が移動するように物品を搬送するコンベアと、搬送経路においてコンベアによって搬送されてくる物品から所定値以上の力を受けたときは物品が搬送経路を通って移動することを許容し、物品から所定値以上の力を受けないときは物品が搬送経路から排斥するように移動する可動部材と、を備えることを特徴とする。
【０００８】
本発明の実施形態によれば、可動部材は、コンベア上においてほぼ水平な面内で回動可能な板状部材でありうる。また、搬送経路はコーナー部を有し、可動部材はコーナー部に設けられうる。
【０００９】
本発明の実施形態によれば、搬送経路の側方に沿って配置されるガイドをさらに備えることができる。ガイドは可動部材が配置される部分において途切れている。ガイドが途切れている部分の側方下部には、可動部材によって排斥された物品を回収する回収部が配置されうる。
【００１０】
本発明の実施形態によれば、物品は、飲料が充填された容器でありうる。また、搬送経路の可動部材より上流側に、当該容器を熱収縮性ラベルで包装するシュリンクトンネルが配置されうる。
【発明の効果】
【００１１】
本発明によれば、簡便な構造で、転倒した物品のみならず、破損した物品をも搬送経路から排斥する搬送装置を提供することができる。
【発明を実施するための最良の形態】
【００１２】
以下、図１〜２を用いて本発明の搬送装置の一例を示す実施形態を説明する。この実施形態では、搬送される物品はビール瓶１である。ビールが充填されたビール瓶１は、シュリンクトンネル６内で熱収縮性ラベル（シュリンクラベル）を包装される。シュリンクトンネル６はコンベア２によって例えばケース詰めの前のアキュームテーブル部等と接続されている。搬送経路の途中には、コンベア２上を搬送されるビール瓶１の移動を遮る板状の可動部材５ａが設置されている。可動部材５ａは、コンベア２の一側に設けられた基台５ｄにその一端が軸５Ｃで軸支され、基台５ｄと可動部材５ａとの間に可動部材５ａをビール瓶１の移動を遮る状態に付勢するバネ５ｃが張設されている。
【００１３】
コンベア１上を移動するビール瓶１ａが、破砕されることなく正立した状態で可動部材５ａに及ぼす力をＦ１、破砕されていないが転倒した状態で可動部材５ａに及ぼす力をＦ２、破砕された状態で可動部材５ａに及ぼす力をＦ３とする。転倒瓶１ｂは転がりやすく、ベルトコンベア２との摩擦力が小さくなっているため、Ｆ１＞Ｆ２となる。また、破瓶１ｃは、破砕によって瓶内に充填されたビールが一部こぼれ、しかも瓶の一部が欠落しているため、破砕されていないビール瓶よりも軽量であるため、Ｆ１＞Ｆ３となる。そこで、バネ５ｃによる付勢力も含め可動部材を軸５ｂの回りにほぼ水平な面内で回動させるのに要する力Ｆが、Ｆ１＞Ｆ＞Ｆ２，Ｆ３を満たすように、可動部材５ａの重量、バネ５ｃの付勢力を設定するとする。そうすると、可動部材５ａは、破砕されていない正立瓶１ａが搬送されてきた場合、図２の矢印方向に水平な面内で回動し、正立瓶１ａを通過させる。一方、倒立瓶１ｂや破瓶１ｃが搬送されてきた場合には、可動部材５ａは回動せず、倒立瓶１ｂ、破瓶１ｃの搬送経路に沿った移動を阻止する。
【００１４】
本発明の可動部材５ａは、従来技術では阻止し得ない、先端部のみが破損した高寸の破瓶１ｃであってもその移動を阻止する。
【００１５】
基台５ｄが設けられた側とは反対側における搬送経路の側方に沿って、ビール瓶１をコーナーに沿って案内するガイド３が立設されている。ガイド３は可動部材５ａが配置される部分において途切れている。ガイド３が途切れている部分の側方下部にはビール瓶の回収部４が設置されている。したがって、可動部材５ａの回動前の姿勢を、例えば図１に示すように設定しておけば、倒立瓶１ｂ、破瓶１ｃはガイド３の途切れた方に誘導され、コンベア外に排斥され、回収部４内に落下する。
【００１６】
この実施形態では、可動部材５ａを搬送経路のコーナー部に設けているが、搬送経路の直線部に設けることも可能である。その場合、ガイドを省略することができる。また、ガイド３が途切れている部分に、図３のように、正立瓶１ａのみをガイドする丸棒ガイド３ａを設置してもよい。丸棒ガイド３ａとコンベア１の表面との間は途切れているため、倒立瓶１ｂ及び破瓶１ｃは丸棒ガイド３ａの下から回収部４に誘導される。
【００１７】
可動部材５ａを回動する機構、設置する機構は、この実施形態に示したものに限定されないことはいうまでもない。さらに、搬送される物品が、ビール瓶以外の飲料容器、飲料容器以外のものであっても本発明は適用可能である。
【図面の簡単な説明】
【００１８】
【図１】本発明の実施形態に係る搬送装置の斜視図である。
【図２】図１を上方から見た図である。
【図３】本発明で使用しうるガイドの別例を示す図である。
【図４】従来技術に係る搬送装置を示す図である。
【図５】従来技術に係る別の搬送装置を上方から見た図である。
【図６】図５に示す搬送装置の側断面図である。
【符号の説明】
【００１９】
１：ビール瓶（物品）、１ａ：正立瓶、１ｂ：転倒瓶、１ｃ：破瓶、
２：コンベア、３：ガイド、４：回収部、５ａ：可動部材、５ｂ：軸、５ｃ：バネ、
５ｄ：基台、６：シュリンクトンネル、７：ガイド、
１１：ベルトコンベア、１２：ガイドレール、１２ａ：開口、１３：容器排出装置、
１３ａ：基台、１３ｂ：第１ゲート部材、１３ｃ：第２ゲート部材、１３ｄ：支軸、
１３ｅ：付勢バネ、１３ｆ：揺動阻止体
【図１】
2008173613.tif 000003
【図２】
2008173613.tif 000004
【図３】
2008173613.tif 000005
【図４】
2008173613.tif 000006
【図５】
2008173613.tif 000007
【図６】
2008173613.tif 000008